(57)【要約】【課題】従来の付け爪では爪本体が膨らんで変形し商品価値がなくなるし、空間部分が多くなるため爪全体が均一に発光しない問題があった。【解決手段】断面が略三日月状で光り透過性を有し、しかも可撓性を有する密閉中空容器の下側壁と上側壁の内側接合部分に毛細管現象を生起させない間隙を確保し、前記密閉中空容器内の中央最厚部内の破割性ガラスアンプルに混合することにより化学発光を呈する２種類の組成物の一方の組成物を充填し、他方の組成物をガラスアンプルの外側で密閉中空容器内に充填した。【選択図】図２
2007325608.tif 000002
【特許請求の範囲】
【請求項１】
断面が略三日月状で光り透過性を有し、しかも可撓性を有する密閉中空容器の下側壁と上側壁の内側接合部分に毛細管現象を生起させない間隙を確保し、前記密閉中空容器内の破割性ガラスアンプルに混合することにより化学発光を呈する２種類の組成物の一方の組成物を充填し、他方の組成物をガラスアンプルの外側で密閉中空容器内に充填したことを特徴とした光る付け爪。
【請求項２】
断面が略三日月状で光り透過性を有し、しかも可撓性を有する密閉中空容器の下側壁と上側壁の内側接合部分に毛細管現象を生起させない間隙を確保し、前記密閉中空容器内の中央最厚部内の破割性ガラスアンプルに混合することにより化学発光を呈する２種類の組成物の一方の組成物を充填し、他方の組成物をガラスアンプルの外側で密閉中空容器内に充填したことを特徴とした光る付け爪。
【請求項３】
下側壁の断面円弧状曲面を定める円の直径より上側壁の断面円弧状曲面を定める円の直径を小さくし、かつ両円が完全に重ならない状態で論理否定の断面略三日月状の密閉中空容器とした請求項１，２記載の光る付け爪。
【請求項４】
耐圧構造の理想的形状である球体の一要素である断面円弧状上側壁及び円弧状下側壁により断面略三日月状とすることにより内部に発生するガス圧に対抗する密閉中空容器とした請求項１，２，３記載の光る付け爪。
【請求項５】
密閉中空容器内の空間部分の下側壁と上側壁の一部を連結した請求項１，２，３，４記載の光る付け爪。
【請求項６】
密閉中空容器内の空間部分の下側壁と上側壁を連結して複数の独立した空き室を形成した請求項１，２，３，４，５記載の光る付け爪。
【請求項７】
前記各空き室内にそれぞれ収容された２種類の組成物の化学発光時の発光色を少なくとも２色以上の色違いとしたことを特徴とした請求項６記載の光る付け爪。
【請求項８】
密閉中空容器の壁内に該密閉中空容器内の発光液の発光色と異なる波長を有する蛍光物質を練り込んだ請求項１，２，３,４，５，６，７記載の光る付け爪。
【請求項９】
上側壁面に印刷、シールを貼着して装飾した請求項１，２，３,４,５，６，７，８記載の光る付け爪。  
【請求項１０】
密閉中空容器を長さ方向にほぼ直線状に成形した請求項１，２，３,４,５,６，７，８，９記載の光る付け爪。  
【発明の詳細な説明】
【技術分野】
【０００１】
本発明は、耐圧性を有し量産化を可能にした光る付け爪に関するものである。
【背景技術】
【０００２】
化学発光を使った装飾用付け爪は既に公知となっている。
特開平９−２６６８１５号公報には、可撓性のシート状樹脂材料からなる下側部材と、下側部材の上に、周囲が下側部材の周囲と重ねられ、接合されることにより、下側部材との間に内部空間を構成する、可撓性かつ透明または半透明のシート状樹脂材料からなる上側部材と、内部空間内に設けられ、混合により化学発光現象を生じる２種類の液状物質のうちの一方を充填した、破割自在の１個の中空カプセルを前記内部空間内に収容し、該中空カプセル外の前記内部空間内に、前記２種類の液状物質のうちの他方を充填した装飾用付け爪が記載されている。
【０００３】
しかし、上記の発明の装飾用付け爪は図６A,B,Cに示すように扁平状容器であり化学反応により炭酸ガスが発生するガス圧により膨らむ（側壁が外側に押される）欠点を有していた（図６A,B）。
又シート状樹脂材料からなる下側部材と上側部材がその周囲を超音波等で接合するものであり、この接合では内圧による膨張で接合部分が剥がれる経験を味わってきた。
【０００４】
以上のように、従来の付け爪では爪本体が膨らんで変形し商品価値がなくなるし、空間部分が多くなるため爪全体が均一に発光しない問題があった。
【０００５】
【特許文献１】特公昭４６−７５６６号公報
【特許文献２】特公昭４９−４００７３号公報
【非特許文献１】神谷功著「有機合成化学」有機合成化学協会誌出版  昭和５４年３月１日発行  第３７巻３号
【発明の開示】
【発明が解決しようとする課題】
【０００６】
解決しようとする問題点は、内部に発生するガス圧で容器の変形（膨らみ）を防止することができない点である。
【課題を解決するための手段】
【０００７】
本発明は、圧力を受ける側壁相互を射出成形により一体成形して連結し、かつ断面が略三日月状とすることによりガス圧に対抗することを最も主要な特徴とする。
【発明の効果】
【０００８】
本発明の付け爪は、それ自体の形状が保持できるためネールアートの多様化の一環として今までに無い光りのアートを爪に表現できる利点がある。
【発明を実施するための最良の形態】
【０００９】
以下実施例にもとづき詳細に説明する。
【実施例１】
【００１０】
化学発光に関する研究は既に２０年以上前になされ、上記のように特許文献、非特許文献などに開示されている。本発明の主体は形状を維持しつつ全面発光の確保にあるので発光原理、発光組成物等の説明は省略する。
【００１１】
シュウ酸エステル１モルが過酸化水素と反応して２モルの炭酸ガスが発生する。例えばシュウ酸エステル０．１モルでは約４リッターの炭酸ガスが発生する。図6は従来の付け爪の水平時の断面説明図であり、発光させる前がAであり発光後一定時間経過後の状態がB及びCである。Cは付け爪を立てた状態を示している。ガスの発生により膨らむため発光液Ｙが下がり上部に空間Ｘが発生するため光らない部分が発生する。
【００１２】
図２は本発明のＥ−Ｅ断面説明図であり径の小なる円Ａと径の大なる円Ｃが一部重なっており論理否定のＺが本発明の断面図であり一般的に三日月状と呼んでいる。上側壁1及び下側壁2は壁の厚みがあるので内部中空部3は円Ｄと円Ｂの論理否定の部分となる。Ａの直径は１１．２ｍｍ、Ｂは１０．０ｍｍ、Ｃは１６．２ｍｍ、Ｄは１５．０ｍｍである。従って肉厚は０．６ｍｍである。  
この容器の最厚部の厚みは２．８ｍｍである。内部の一番広い空間は１．６ｍｍのスペースを保有しており、この部分に直径１．３〜１．５ｍｍのガラスアンプル１１を２本挿入した（図１、図２、図３）。
【００１３】
上側シートと下側シートの周囲を単に接合した場合は図１１、図１２に示すように化学発光組成物（溶液）が毛細管現象により両隅に液が上り（略Ｕ字状）開口部４を熱溶封する作業が困難となる。図１１には上下シートの接合部を丸で表した。そこで密閉中空容器５の下側壁と上側壁の内側接合部分に毛細管現象を生起させない間隙の一例として図３に示すように半径０．４ｍｍの半円状空間６を確保する。
なお中空容器の巾は１０ｍｍ、全長は２５ｍｍである。
【００１４】
発光後のガス圧は拡大断面図３に示すように曲面Ｃ（直径１６．２ｍｍ）の全面及び曲面Ｂ（直径１０．０ｍｍ）の全面にかかる。詳細に説明すれば図４に示すように曲面Ｃにはφ１６．２ｍｍの中心部に向かって均等に力が加わっているから変形しにくい。同様に曲面Ｂには図５に示すようにφ１０ｍｍの中心部から外に向かって均等に力が加わっているので変形しにくので、耐圧性を有する構造となる。中空容器５の素材はポリプロピレンやポリエチレンを使用する。このように変形しないので空間部分の全表面を均一に発光させることができる。
【００１５】
製造するときは、上端が開口した中空容器５（射出成形品）を開口部を上にして立てた状態で多数整列しておき、各開口部から混合することにより化学発光を呈する２種類の組成物の一方を充填し、次に同開口部の中央最広空間部（中央最厚部内）に他方の組成物を充填したφ１．３ｍｍ、全長２２ｍｍのガラスアンプルを２本挿入した後、各開口部を一度に熱で溶解して密封する。中央最厚部内には可能な範囲の最大直径のアンプルを収容するためであり、且つアンプルが容器内で移動が制限されるため、容器を曲げて中のアンプルを割る時ミスなく確実に発光できる効果も有する。
【実施例２】
【００１６】
中空容器５を軟質ポリエチレン等の柔らかい素材で成形した場合は変形する可能性があるので、図７、図８、図９に示すように密閉中空容器５内の空間で中央の長手方向に下側壁と上側壁の一部を連結すべく連結部７を設ける。図７では一本の連結部７を設けたが平行して複数本設ける場合も本発明に属する。図９では３つの円柱状の連結部７を設けた。これらの構造では上下壁を連結し耐圧性を向上させている。
【実施例３】
【００１７】
図１０に示すように密閉中空容器内に下側壁と上側壁を連結して複数の独立した空き室８を形成し、それぞれの室の発光色を異なる色とすることにより装飾効果も向上する構造とした。
【００１８】
密閉中空容器５の壁内に該密閉中空容器内の発光液の発光色と異なる波長を有する蛍光物質を練り込めば、発光終了後も色つき付け爪そして使用できる。
また、上側壁面に印刷、シールを貼着して装飾したもの（図１３）も上記と同様であるが、装飾性向上以外に文字等による宣伝、広告の媒体として、あるいはコンサートの応援グッズにも利用できる。
【図面の簡単な説明】
【００１９】
【図１】本発明の光る付け爪の一部切欠断面図（実施例１）。
【図２】図１E−E線の断面説明図（実施例１）。
【図３】本発明の光る付け爪の拡大断面説明図（実施例１）。
【図４】本発明の光る付け爪の拡大断面説明図（実施例１）。
【図５】本発明の光る付け爪の拡大断面説明図（実施例１）。
【図６】従来の光る付け爪の説明図。
【図７】本発明の光る付け爪の一部切欠断面図（実施例２）。
【図８】図７ Ｆ−Ｆ線の断面図（実施例２）。
【図９】本発明の光る付け爪の一部切欠断面図（実施例２）。
【図１０】本発明の光る付け爪の一部切欠断面図（実施例３）。
【図１１】従来の問題点を説明するための図。
【図１２】従来の問題点を説明するための一部切欠斜視図。
【図１３】本発明の光る付け爪の表面に模様を表現した図。
【符号の説明】
【００２０】
１  上側壁    
２  下側壁  
３  内部空間  
４  開口部  
５  中空容器
６  空間
７  連結部
８  独立した空き室
１１  ガラスアンプル
Ｘ  空間
Ｙ  発光液
【図１】
2007325608.tif 000003
【図２】
2007325608.tif 000004
【図３】
2007325608.tif 000005
【図４】
2007325608.tif 000006
【図５】
2007325608.tif 000007
【図６】
2007325608.tif 000008
【図７】
2007325608.tif 000009
【図８】
2007325608.tif 000010
【図９】
2007325608.tif 000011
【図１０】
2007325608.tif 000012
【図１１】
2007325608.tif 000013
【図１２】
2007325608.tif 000014
【図１３】
2007325608.tif 000015